(57)【要約】【課題】  ＩＤカード１の画像のコピー印刷物を受け取った側がそのコピー印刷物が偽造されていないことを確認できる。【解決手段】  画像形成装置２は、ＩＤカード１の表面画像を読み取り、ＩＤカード１の表面画像と管理サーバー４による管理ドメイン内のアドレス情報とを含むコピー印刷物を出力し、ＩＤカード１の表面画像およびアドレス情報を含むカードコピー情報を、登録要求とともに管理サーバー４へ送信する。管理サーバー４は、ネットワーク３を介して登録要求およびカードコピー情報を受信すると、カードコピー情報内のＩＤカード１の表面画像とアドレス情報とを互いに関連付けて所定の記憶装置に記憶し、ネットワーク３を介して閲覧要求を受信すると、閲覧要求に含まれるアドレス情報を特定し、特定したアドレス情報に関連付けられているＩＤカードの表面画像を閲覧要求の送信元へ送信する。【選択図】  図１
2018093355.tif 000002
【特許請求の範囲】
【請求項１】
ネットワークに接続された画像形成装置と、
前記ネットワークに接続された管理サーバーとを備え、
前記画像形成装置は、（ａ）ＩＤカードの表面画像を読み取り、（ｂ）前記ＩＤカードの表面画像と前記管理サーバーによる管理ドメイン内のアドレス情報とを含むコピー印刷物を出力し、（ｃ）前記ＩＤカードの表面画像および前記アドレス情報を含むカードコピー情報を、登録要求とともに、前記ネットワークを介して前記管理サーバーへ送信し、
前記管理サーバーは、（ａ）前記ネットワークを介して前記登録要求および前記カードコピー情報を受信し、（ｂ）前記カードコピー情報内のＩＤカードの表面画像と前記アドレス情報とを互いに関連付けて所定の記憶装置に記憶し、（ｃ）前記ネットワークを介して閲覧要求を受信し、（ｄ）前記閲覧要求に含まれるアドレス情報を特定し、特定したアドレス情報に関連付けられている前記ＩＤカードの表面画像を、前記ネットワークを介して、前記閲覧要求の送信元へ送信すること、
を特徴とする画像形成システム。
【請求項２】
前記画像形成装置は、（ｄ）前記ＩＤカード内のＩＣチップから、前記ＩＤカードの持ち主の属性情報を読み取り、（ｅ）前記ＩＤカードの表面画像から持ち主の属性情報を抽出し、（ｆ）前記ＩＣチップから読み取った前記属性情報と前記表面画像から抽出した前記属性情報とを比較した結果に基づいて、前記コピー印刷物の出力の可否を決定し、（ｇ）前記コピー印刷物の出力を許可した場合には、前記コピー印刷物を出力するとともに前記カードコピー情報を前記管理サーバーへ送信し、前記コピー印刷物の出力を拒否した場合には、前記コピー印刷物を出力しないとともに前記カードコピー情報を前記管理サーバーへ送信しないことを特徴とする請求項１記載の画像形成システム。
【請求項３】
前記ＩＤカード内のＩＣチップから読み取られた属性情報は、バイオメトリクス情報であり、
前記画像形成装置は、ユーザーのバイオメトリクス情報を取得し、取得した前記バイオメトリクス情報と前記ＩＣチップから読み取られた前記バイオメトリクス情報とを比較した結果に基づいて、前記コピー印刷物の出力の可否を決定し、前記コピー印刷物の出力を許可した場合には、前記コピー印刷物を出力するとともに前記カードコピー情報を前記管理サーバーへ送信し、前記コピー印刷物の出力を拒否した場合には、前記コピー印刷物を出力しないとともに前記カードコピー情報を前記管理サーバーへ送信しないこと、
を特徴とする請求項１または請求項２記載の画像形成システム。
【請求項４】
前記画像形成装置は、前記ＩＤカードから取得された、前記ＩＤカードの持ち主の住所情報に基づいて、前記コピー印刷物の出力の可否を決定し、前記コピー印刷物の出力を許可した場合には、前記コピー印刷物を出力するとともに前記カードコピー情報を前記管理サーバーへ送信し、前記コピー印刷物の出力を拒否した場合には、前記コピー印刷物を出力しないとともに前記カードコピー情報を前記管理サーバーへ送信しないことを請求項１から請求項３のうちのいずれか１項記載の画像形成システム。
【請求項５】
前記画像形成装置は、故障して前記コピー印刷物を出力できない場合、故障情報を前記管理サーバーへ送信し、
前記管理サーバーは、前記故障情報を受信した場合、前記故障情報を送信した前記画像形成装置以外に、特定住所の前記ＩＤカードの持ち主の前記コピー印刷物の出力を許可する画像形成装置がないときには、前記特定住所の前記ＩＤカードの持ち主の前記コピー印刷物の出力を一時的に許可させる許可指令を、前記故障情報を送信した前記画像形成装置に最も近い画像形成装置へ送信すること、
を特徴とする請求項４記載の画像形成システム。
【発明の詳細な説明】
【技術分野】
【０００１】
本発明は、画像形成システムに関するものである。
【背景技術】
【０００２】
近年免許証、パスポートなどのＩＤカードの偽造防止のために、ＩＤカードにはＩＣチップが内蔵されており、そのＩＤカードの持ち主の属性情報などがそのＩＣチップに書き込まれている（例えば特許文献１参照）。
【０００３】
他方、窓口認証において、カメラで顔画像を取得して本人確認を行うことで、なりすましを防ぐシステムが提案されている（例えば特許文献２参照）。
【先行技術文献】
【特許文献】
【０００４】
【特許文献１】特開２０１３−１９０９３４号公報
【特許文献２】特開２０１５−０８８０８０号公報
【発明の概要】
【発明が解決しようとする課題】
【０００５】
ある画像形成装置は、ＩＤカードをコピーする際に使用されるＩＤカードコピー機能を有している。ＩＤカードコピー機能によってＩＤカードの画像を印刷用紙にコピーして印刷物が作成される。各種サービスの申込において、本人確認のために、ＩＤカードのコピー印刷物がサービス提供者によって要求されることがある。
【０００６】
ＩＤカードの画像のコピー印刷物の作成には、コンビニエンスストアなどに設置された、不特定多数のユーザーに使用される画像形成装置を使用することができる。
【０００７】
上述のように、ＩＤカード自体の偽造は比較的難しいが、ＩＤカードの画像のコピー印刷物が偽造される可能性がある。
【０００８】
また、ＩＤカード内のＩＣチップに記録されている持ち主の属性情報をリーダーで読み出し、その読み出した属性情報で本人確認を行うことも考えられるが、ＩＣチップ内の属性情報が持ち主の顔画像のバイオメトリクス情報であっても、持ち主と顔が似ている人間（例えば兄弟など）が、顔認証に成功してＩＤカードを不正使用する可能性がある。
【０００９】
本発明は、上記の問題に鑑みてなされたものであり、ＩＤカードの画像のコピー印刷物を受け取った側がそのコピー印刷物が偽造されていないことを確認できる画像形成システムを得ることを目的とする。
【課題を解決するための手段】
【００１０】
本発明に係る画像形成システムは、ネットワークに接続された画像形成装置と、前記ネットワークに接続された管理サーバーとを備える。前記画像形成装置は、（ａ）ＩＤカードの表面画像を読み取り、（ｂ）前記ＩＤカードの表面画像と前記管理サーバーによる管理ドメイン内のアドレス情報とを含むコピー印刷物を出力し、（ｃ）前記ＩＤカードの表面画像および前記アドレス情報を含むカードコピー情報を、登録要求とともに、前記ネットワークを介して前記管理サーバーへ送信する。前記管理サーバーは、（ａ）前記ネットワークを介して前記登録要求および前記カードコピー情報を受信し、（ｂ）前記カードコピー情報内のＩＤカードの表面画像と前記アドレス情報とを互いに関連付けて所定の記憶装置に記憶し、（ｃ）前記ネットワークを介して閲覧要求を受信し、（ｄ）前記閲覧要求に含まれるアドレス情報を特定し、特定したアドレス情報に関連付けられている前記ＩＤカードの表面画像を、前記ネットワークを介して、前記閲覧要求の送信元へ送信する。
【発明の効果】
【００１１】
本発明によれば、ＩＤカードの画像のコピー印刷物を受け取った側がそのコピー印刷物が偽造されていないことを確認できる画像形成システムが得られる。
【００１２】
本発明の上記又は他の目的、特徴および優位性は、添付の図面とともに以下の詳細な説明から更に明らかになる。
【図面の簡単な説明】
【００１３】
【図１】図１は、本発明の実施の形態に係る画像形成システムの構成を示すブロック図である。
【図２】図２は、図１におけるＩＤカード１の外観の一例を示す正面図である。
【図３】図３は、図１におけるＩＤカード１および画像形成装置２の構成を示すブロック図である。
【図４】図４は、図１および図２における画像形成装置２により出力されるコピー印刷物の一例を示す図である。
【図５】図５は、図１における管理サーバー４の構成を示すブロック図である。
【図６】図６は、図１における各画像形成装置２の動作を説明するフローチャートである。
【図７】図７は、図１における管理サーバー４の動作を説明するフローチャートである。
【発明を実施するための形態】
【００１４】
以下、図に基づいて本発明の実施の形態を説明する。
【００１５】
図１は、本発明の実施の形態に係る画像形成システムの構成を示すブロック図である。図１に示すシステムでは、ユーザー１０１が、自己のＩＤカード１を保有しており、さらに、複数の画像形成装置２（複合機、コピー機など）が、コンビニエンスストアなどの複数の設置場所に点在している。
【００１６】
画像形成装置２は、ネットワーク３に接続されている。さらに、管理サーバー４が、ネットワーク３に接続されている。ネットワーク３は、インターネットなどの広域ネットワークであり、ネットワーク３において、各画像形成装置２と管理サーバー４との間でデータ通信を行うことができるように設定されている。
【００１７】
図２は、図１におけるＩＤカード１の外観の一例を示す正面図である。図３は、図１におけるＩＤカード１および画像形成装置２の構成を示すブロック図である。
【００１８】
図２に示すように、ＩＤカード１の表面において、氏名、住所、顔写真などの属性情報が印刷されている。
【００１９】
また、図３に示すように、ＩＤカード１は、アンテナなどの通信部１１および例えばFeliCa（登録商標）チップなどといったＩＣチップ１２を内蔵しており、ＩＣチップ１２には、持ち主（ユーザー１０１）の属性情報（氏名、住所、社員番号などのＩＤコード、顔認証情報、指紋認証情報などといったバイオメトリクス情報など）が記憶されている。
【００２０】
一方、図３において、画像形成装置２は、印刷装置３１、画像読取装置３２、操作パネル３３、通信装置３４、ＩＣチップリーダー３５、バイオメトリクスリーダー３６、記憶装置３７、およびコントローラー３８を有する。
【００２１】
印刷装置３１は、印刷画像データに基づいて１ページずつ画像を印刷用紙に電子写真方式で印刷する内部装置である。
【００２２】
画像読取装置３２は、原稿から原稿画像を読み取り、その画像データ（つまり、スキャンデータ）を生成する内部装置である。
【００２３】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００２４】
通信装置３４は、例えばネットワーク３に接続されるネットワークインターフェイスであって、管理サーバー４などとデータ通信を行う内部装置である。
【００２５】
ＩＣチップリーダー３５は、ＩＣチップリーダー３５に近接するＩＤカード１とデータ通信し、そのＩＤカード１のＩＣチップ１２から各種データを読み取る。
【００２６】
バイオメトリクスリーダー３６は、顔認証用のカメラ、指紋スキャナーなどであって、ユーザーのバイオメトリクス情報を取得する。
【００２７】
記憶装置３７は、フラッシュメモリー、ハードディスクなどの不揮発性の記憶装置である。記憶装置３７には、設定データ４１などが記憶されている。
【００２８】
また、コントローラー３８は、コンピューター、ＡＳＩＣ（Application Specific Integrated Circuit）などを有し、画像形成装置１内の内部装置を制御する。コントローラー３８は、コンピューターでプログラム４１を実行することで、ＩＤカードコピー処理部４２およびカードコピー情報登録部４３として動作する。
【００２９】
画像形成装置２は、証明付きＩＤカードコピー機能を有しており、コントローラー３８は、ＩＤカードコピーモードを選択するユーザー操作が操作パネル３３により受け付けると、証明付きＩＤカードコピー機能で、ＩＤカード１の表面画像のコピー印刷物を出力する。
【００３０】
ＩＤカードコピー処理部４２は、（ａ）画像読取装置３２を使用して、ＩＤカード１の表面画像を読み取り、（ｂ）印刷装置３１を使用して、読み取ったＩＤカード１の表面画像と管理サーバー４による管理ドメイン内のアドレス情報（例えばＵＲＬ（Uniform Resource Locator））とを含むコピー印刷物を出力する。
【００３１】
カードコピー情報登録部４３は、ＩＤカードコピー処理部４２によってコピー印刷物の出力が完了すると、（ｃ）通信装置３４を使用して、ＩＤカード１の表面画像および上述のアドレス情報を含むカードコピー情報を、登録要求とともに、ネットワーク４を介して管理サーバー４へ送信する。なお、カードコピー情報には、そのＩＤカード１のカード識別情報、ＩＤカード１のＩＣチップ１２から読み取った属性情報などが含まれていてもよい。
【００３２】
図４は、図１および図２における画像形成装置２により出力されるコピー印刷物の一例を示す図である。例えば図４に示すように、コピー印刷物には、ＩＤカード１の両面の画像、コピー印刷物の作成日時、作成場所、作成した画像形成装置２のデバイスＩＤ、このコピー印刷物に対応して登録されたカードコピー情報を閲覧可能にするアドレス情報（図４ではＵＲＬ）およびパスワードなどが含まれている。そして、これらの情報が、カードコピー情報として、管理サーバー４へ送信される。
【００３３】
さらに、この実施の形態では、ＩＤカードコピー処理部４２は、所定の条件に基づいて、コピー印刷物の出力の可否を決定する。なお、コピー印刷物の出力が行われる場合には、カードコピー情報の登録も行わるが、コピー印刷物の出力が行われない場合には、カードコピー情報の登録も行われない。
【００３４】
例えば、ＩＤカードコピー処理部４２は、（ｄ）ＩＤカード１内のＩＣチップ１２から、ＩＤカード１の持ち主（ユーザー１０１）の属性情報を読み取り、（ｅ）文字認識技術などを使用してＩＤカード１の表面画像から持ち主の属性情報を抽出し、（ｆ）ＩＣチップ１２から読み取った属性情報と表面画像から抽出した属性情報とを比較した結果に基づいて、コピー印刷物の出力の可否を決定し、（ｇ）コピー印刷物の出力を許可した場合には、コピー印刷物を出力し、コピー印刷物の出力を拒否した場合には、コピー印刷物を出力しない。
【００３５】
また、例えば、ＩＤカードコピー処理部４２は、バイオメトリクスリーダー３６を使用して、ユーザー１０１のバイオメトリクス情報を取得し、取得したバイオメトリクス情報とＩＣチップ１２から読み取られた属性情報におけるバイオメトリクス情報とを比較した結果に基づいて、コピー印刷物の出力の可否を決定し、コピー印刷物の出力を許可した場合には、コピー印刷物を出力し、コピー印刷物の出力を拒否した場合には、コピー印刷物を出力しない。
【００３６】
また、例えば、ＩＤカードコピー処理部４２は、ＩＤカード１から取得された、ＩＤカード１の持ち主の住所情報（表面画像から抽出されたものでも、ＩＣチップ１２から読み取られたものでもよい）に基づいて、コピー印刷物の出力の可否を決定し、コピー印刷物の出力を許可した場合には、コピー印刷物を出力し、コピー印刷物の出力を拒否した場合には、コピー印刷物を出力しない。
【００３７】
例えば、設定データ４１には、当該画像形成装置２によりコピー印刷物の出力が許可されるＩＤカードの持ち主の住所の範囲が含まれており、ＩＤカードコピー処理部４２は、ＩＤカード１から取得された、ＩＤカード１の持ち主の住所情報が設定データ４１により示される住所の範囲内である場合には、コピー印刷物の出力を許可し、そうでない場合には、コピー印刷物の出力を拒否する。
【００３８】
図５は、図１における管理サーバー４の構成を示すブロック図である。
【００３９】
図５に示す管理サーバー４は、通信装置５１、ウェブサーバー５２、データベースサーバー５３、および記憶装置５４を備える。
【００４０】
通信装置５１は、例えばネットワーク３に接続されるネットワークインターフェイスであって、画像形成装置２などとデータ通信を行う内部装置である。
【００４１】
ウェブサーバー５２は、通信装置５１を使用して、画像形成装置２からネットワーク３を介して送信されてくる登録要求を受け付けるとともに、ネットワーク３を介して送信されてくる閲覧要求を受け付けるフロントエンドサーバーである。データベースサーバー５３は、不揮発性の記憶装置５４を使用して、データベースを構築し、登録要求に従って、カードコピー情報をそのデータベースに登録するとともに、閲覧要求に従って、閲覧要求により指定されたカードコピー情報を応答として送信する。
【００４２】
なお、上述のウェブサーバー５２およびデータベースサーバー５３は、サーバープログラムをコンピューターにより実行することで実現される。
【００４３】
具体的には、ウェブサーバー５２が、ネットワーク３を介して、登録要求およびカードコピー情報を受信すると、データベースサーバー５３が、そのカードコピー情報内のＩＤカードの表面画像とアドレス情報とを互いに関連付けて所定の記憶装置（ここでは、記憶装置５４に基づくデータベース）に記憶する。
【００４４】
また、ウェブサーバー５２が、ネットワーク３を介して、閲覧要求を受信すると、その閲覧要求に含まれるアドレス情報を特定し、データベースサーバー５３は、特定したアドレス情報に関連付けられているＩＤカード１の表面画像を、ネットワーク３を介して、閲覧要求の送信元へ送信する。
【００４５】
ここでは、管理サーバー４との通信は、ＨＴＴＰ（Hypertext Transfer Protocol）で実行されるが、その他のプロトコルで実行してもよい。
【００４６】
なお、上述のように住所情報に基づいて、画像形成装置２がコピー印刷物の出力の可否を決定する場合、画像形成装置２は、故障してコピー印刷物を出力できないときには、故障情報を管理サーバー４へ送信する。そして、管理サーバー４は、その故障情報を受信した場合、その故障情報を送信した画像形成装置２以外に、特定住所（その画像形成装置２によりコピー印刷物の出力が許可される住所）のＩＤカードの持ち主のコピー印刷物の出力を許可する画像形成装置２がないときには、特定住所のＩＤカードの持ち主のコピー印刷物の出力を一時的に許可させる許可指令を、故障情報を送信した画像形成装置２に最も近い画像形成装置２へ送信する。画像形成装置２は、その許可指令を受け付けると、一時的に、設定データ４１により指定される住所の範囲に、その許可指令により指定される住所の範囲を追加する。例えば、管理サーバー４は、各画像形成装置２の設置場所、および各画像形成装置２がコピー印刷物の出力を許可する住所範囲を、予め画像形成装置２の登録データとして保持しており、その登録データに基づいて、故障情報を送信した画像形成装置２がコピー印刷物の出力を許可する住所範囲、および故障情報を送信した画像形成装置２に最も近い画像形成装置２を特定する。なお、画像形成装置２は、その故障が解消された場合、復旧情報を管理サーバー４へ送信し、管理サーバー４は、許可指令を送信した画像形成装置２へ、その許可指令を解除する解除指令を送信する。
【００４７】
次に、当該実施の形態に係る画像形成システムの動作について説明する。
【００４８】
（ａ）各画像形成装置２の動作
【００４９】
図６は、図１における各画像形成装置２の動作を説明するフローチャートである。
【００５０】
ユーザー１０１がＩＤカードコピーモードを選択すると、以下の処理が実行される。
【００５１】
ユーザー１０１がＩＣチップリーダー３５に近接させてＩＤカード１を配置すると、ＩＤカードコピー処理部４２は、ＩＣチップリーダー３５を使用して、ＩＤカード１のＩＣチップ１２から属性情報を読み取る（ステップＳ１）。
【００５２】
その後、ユーザー１０１は、ＩＤカード１を画像読取装置３２に載置すると、ＩＤカードコピー処理部４２は、画像読取装置３２を使用して、ＩＤカード１の表面画像を読み取る（ステップＳ２）。なお、このとき、一方の面のＩＤカード１の画像を読み取りが完了すると、ユーザー１０１は、ＩＤカード１を裏返してＩＤカード１を画像読取装置３２に載置し、ＩＤカードコピー処理部４２は、画像読取装置３２を使用して、ＩＤカード１のその面の画像も読み取る。
【００５３】
次に、ＩＤカードコピー処理部４２は、読取画像から属性情報（氏名、住所など）を抽出し、ＩＣチップ１２から読み取った属性情報と読取画像から抽出した属性情報とが一致するか否かを判定し、その判定結果に基づいて、当該ＩＤカード１のコピー印刷物の出力を拒否するか否かを判定する（ステップＳ３）。
【００５４】
両者が一致する場合、ＩＤカードコピー処理部４２は、コピー印刷物の出力を拒否しない。そして、ＩＤカードコピー処理部４２は、バイオメトリクスリーダー３６を使用して、ユーザー１０１のバイオメトリクス情報を取得し（ステップＳ４）、バイオメトリクスリーダー３６で取得したバイオメトリクス情報とＩＣチップ１２から取得した属性情報におけるバイオメトリクス情報とが一致するか否かを判定し、その判定結果に基づいて、当該ＩＤカード１のコピー印刷物の出力を許可するか否かを判定する（ステップＳ５）。
【００５５】
両者が一致する場合、ＩＤカードコピー処理部４２は、当該ＩＤカード１のコピー印刷物の出力を許可する。そして、ＩＤカードコピー処理部４２は、今回のコピー印刷物に固有なＵＲＬおよびパスワードを生成し、そのＵＲＬおよびパスワードとともに、上述の読み取ったＩＤカード１の画像などを含むコピー印刷物の画像データを生成し、その生成した画像データに基づいて印刷装置３１にコピー印刷物を出力させる（ステップＳ６）。
【００５６】
コピー印刷物の出力が完了すると、カードコピー情報登録部４３は、通信装置３４を使用して、ＩＤカード１の表面画像および上述のアドレス情報を含むカードコピー情報を、登録要求とともに、ネットワーク４を介して管理サーバー４へ送信する（ステップＳ７）。
【００５７】
一方、ステップＳ３においてＩＤカード１のコピー印刷物の出力が拒否された場合、およびステップＳ５においてＩＤカード１のコピー印刷物の出力が許可されなかった場合、ＩＤカードコピー処理部４２は、操作パネル３３にエラーメッセージを表示して（ステップＳ８）、処理を終了する。したがって、この場合、コピー印刷物の出力およびカードコピー情報の登録は行われない。
【００５８】
（ｂ）管理サーバー４の動作
【００５９】
図７は、図１における管理サーバー４の動作を説明するフローチャートである。
【００６０】
ウェブサーバー５２は、通信装置５１により登録要求および閲覧要求が受信されたか否かを監視しており（ステップＳ２１，Ｓ２２）。
【００６１】
ウェブサーバー５２が画像形成装置２から登録要求およびカードコピー情報を受信すると、データベースサーバー５３は、まず、カードコピー情報におけるアドレス情報（ここでは、ＵＲＬ）に関連付けて、閲覧可能に、カードコピー情報をデータベースに保存する（ステップＳ２３）。
【００６２】
さらに、データベースサーバー５３は、カードコピー情報に基づいてユーザー１０１を特定し、同一ユーザーの登録済みの他のカードコピー情報をデータベースにおいて検索する（ステップＳ２４）。
【００６３】
データベースサーバー５３は、同一ユーザーの登録済みの他のカードコピー情報をデータベースにおいて発見したか否かを判定し（ステップＳ２５）、同一ユーザーの登録済みのカードコピー情報をデータベースにおいて発見した場合、同一ユーザーの登録済みの複数のカードコピー情報のそれぞれについて、登録済みのカードコピー情報の数（つまり、コピー印刷物の出力回数）、および登録済みのカードコピー情報のうちの他のカードコピー情報のアドレス情報（ここでは、ＵＲＬ）を、登録済みのカードコピー情報に追記する（ステップＳ２６）。これにより、それらの登録済みのカードコピー情報が互いに関連付けられる。
【００６４】
このようにして登録されたカードコピー情報は、コピー印刷物に記載されたＵＲＬおよびパスワードに基づいてウェブブラウザーなどを使用して閲覧可能となる。
【００６５】
そして、ウェブサーバー５２が図示せぬ端末装置から閲覧要求を受信すると、データベースサーバー５３は、閲覧要求に含まれるＵＲＬにより指定されたカードコピー情報を特定し、閲覧要求に含まれるパスワードが正当なものである場合には、そのカードコピー情報を読み出し（ステップＳ２７）、例えばＨＴＭＬ（Hypertext Markup Language）データとして、その端末装置へ送信する（ステップＳ２８）。
【００６６】
このようにして、コピー印刷物を受領したサービス提供者などは、ネットワーク３に接続可能な端末装置を使用してカードコピー情報を閲覧し、受領したコピー印刷物が偽造されたり改変されたりしていないかを確認することができる。
【００６７】
また、同一ユーザーの別のカードコピー情報が登録されている場合には、閲覧されたカードコピー情報に、その別のカードコピー情報へのＵＲＬが追記されているので、そのＵＲＬに基づいて、その別のカードコピー情報を併せて閲覧することができるとともに、同一ユーザーのカードコピー情報の登録数を併せて閲覧することができる。
【００６８】
以上のように、上記実施の形態によれば、画像形成装置２は、（ａ）ＩＤカード１の表面画像を読み取り、（ｂ）ＩＤカード１の表面画像と管理サーバー４による管理ドメイン内のアドレス情報とを含むコピー印刷物を出力し、（ｃ）ＩＤカード１の表面画像およびアドレス情報を含むカードコピー情報を、登録要求とともに、ネットワーク３を介して管理サーバー４へ送信する。管理サーバー４は、ネットワーク３を介して登録要求およびカードコピー情報を受信すると、カードコピー情報内のＩＤカード１の表面画像とアドレス情報とを互いに関連付けて所定の記憶装置５４に記憶し、ネットワーク３を介して閲覧要求を受信すると、閲覧要求に含まれるアドレス情報を特定し、特定したアドレス情報に関連付けられているＩＤカードの表面画像を閲覧要求の送信元へ送信する。
これにより、ＩＤカード１の画像のコピー印刷物を受け取った側がそのコピー印刷物が偽造されていないことを確認できる。
【００６９】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７０】
例えば、上記実施の形態では、管理サーバー４において、ユーザーごとに、複数のカードコピー情報が関連付けられるが、その代わりに、ＩＤカード１ごとに、複数のカードコピー情報が関連付けられるようにしてもよい。その場合、同一のＩＤカード１の、登録済みの別のカードコピー情報が閲覧可能となるとともに、ＩＤカード１ごとに登録数（つまり、コピー印刷物の出力回数）が閲覧可能となる。
【００７１】
また、上記実施の形態では、画像形成装置２にバイオメトリクスリーダー３６を設けているが、その代わりに、ユーザー１０１の携帯端末装置（スマートフォンなど）にバイオメトリクスリーダー３６を設け、その携帯端末装置でユーザー１０１のバイオメトリクス情報を取得し、画像形成装置２に送信するようにしてもよい。
【産業上の利用可能性】
【００７２】
本発明は、例えば、本人確認用のＩＤカードのコピー印刷物の認証に適用可能である。
【符号の説明】
【００７３】
１  ＩＤカード
２  画像形成装置
４  管理サーバー
【図１】
2018093355.tif 000003
【図２】
2018093355.tif 000004
【図３】
2018093355.tif 000005
【図４】
2018093355.tif 000006
【図５】
2018093355.tif 000007
【図６】
2018093355.tif 000008
【図７】
2018093355.tif 000009